【事件の表示】
　昭和６３年特許願第　５９０２８号「フォント作成装置および出力装置」拒絶査定に対する審判事件［平成　１年　９月１８日出願公開、特開平　１−２３２０５８］について、次のとおり審決する。
【結　論】
　本件審判の請求は、成り立たない。
【理　由】
 Ｉ.手続の経緯・本願発明の要旨
　本願は、昭和６３年３月１１日の出願であって、その請求項１に記載された発明（以下「本願発明１」という。）、請求項２に記載された発明（以下「本願発明２」という。）、請求項３に記載された発明（以下「本願発明３」という。）は、補正された明細書及び図面の記載からみて、その特許請求の範囲の各請求項に記載された次のとおりのものと認める。
「1)固定ピッチのフォントデータを記憶する第１記憶手段と、
　プロポーショナルピッチの文字パターンを作成するときに必要な文字送りピッチ量を示すスペーシング量を記憶する第２記憶手段と、
　前記第１記憶手段に記憶されている固定ピッチのフォントデータから片側の空白部の幅を検出する検出手段と、
　前記検出手段により検出された片側の空白部の幅に基づき前記第１記憶手段に記憶されている固定ピッチのフォントデータをシフトさせるシフト手段と、
　前記シフト手段によりシフトされたフォントデータと前記第２記憶手段に記憶されているスペーシング量とに従ってプロポーショナルピッチの文字パターンを作成する作成手段とを有することを特徴とするフォント作成装置。
2)固定ピッチのフォントデータを記憶する第１記憶手段と、
　プロポーショナルピッチの文字パターンを作成するときに必要な文字送りピッチ量を示すスぺーシング量を記憶する第２記憶手段と、
　前記第１記憶手段に記憶されている固定ピッチのフォントデータから片側の空白部の幅を検出する検出手段と、
　前記検出手段により検出された片側の空白部の幅に基づき前記第１記憶手段に記憶されている固定ピッチのフォントデータをシフトさせるシフト手段と、
　前記シフト手段によりシフトされたフォントデータと前記第２記憶手段に記憶されているスペーシング量とに従ってプロポーショナルピッチの文字パターンを作成する作成手段と、
　前記作成手段により作成された文字パターンを出力する出力手段を有することを特徴とする出力装置。
3)前記出力手段は、プリンタであることを特徴とする請求項２記載の出力装置。」
II.引用例
  これに対して、原査定の拒絶の理由において引用された本願出願前に頒布された刊行物である特開昭５７−１２３０８１号公報（以下「引用例１」という。）には、「本発明は・・・プリンタ独自で印字される書体の各文字に適合したプロポーショナルスペーシング印字を行うことのできるプリンタの制御方式を提供することを目的とする。本発明では文字パタン発生器から発生された各文字についてその行方向に占める幅をそれぞれ算出し、算出結果と対応づけて予め定めておいた字間スペースをそれぞれの文字に与えることとして前記した目的を達成する。・・・第２図はプリンタのビデオ信号発生部を示したものである。外部装置から送られてきた文学コード１１ は文字パタン収容メモリ１２に供給され、ここで予め定められたビット数の文字枠に納められた所定の文字パタンが発生する。文字パタン収容メモリ１２には第１図に示したように行方向および列方向にそれぞれ２０ビットの計４００ビットで構成された文字枠に収まるようにデザインされた各種の文字パタンが収容されている。今、第１図に示した文字パタンＭを指示する文字コードが文字パタン収容メモリ１２に供給されたとすると、図示しないクロック発生器からクロック入力端子１２Ａに供給されるシフトクロック１３に基づいて副走査方向出力端子ＯＳ１〜ＯＳ２０からは第１番目の主走査位置から順に文字パタンＭについての各副走査位置のビット情報が出力される。すなわち最初のシフトクロックが発生したときには出力端子ＯＳ１〜ＯＳ１８から白の画情報を表わす信号”０”が、また出力端子ＯＳ１９，ＯＳ２０からは黒の画情報を表わす信号”１”が出力される。また第２のシフトクロックが発生したときには出力増子ＯＳ１，ＯＳ２，ＯＳ４〜ＯＳ１８から信号”０”が、また残りの出力端子ＯＳ３，ＯＳ１９，ＯＳ２０からは信号”１”がそれぞれ出力される。更に第３のシフトクロックが発生したときには出力端子ＯＳ１，ＯＳ２から信号”０”が、また残りの出力端子ＯＳ３〜ＯＳ２０からは信号”１”がそれぞれ出力される。以下同様である。
　副走査方向出力端子ＯＳ１〜ＯＳ２０から出力される信号はオフ回路１４を経てカウンタ１５の計数入力端子１５Ａに順次供給される。カウンタ１５はこれに先立ち文字コードが文字パタン収容メモリ１２に供給される時点でストローブ信号入力端子１５Ｂからストローブ信号１６の供給を受け、これ以後クロック入力端子１５Ｃにシフトクロック１３が供給される毎に計数入力端子１５Ａに供給される信号を計数する。第１図に示す文字パタンＭの場合には、オア回路１４は全主走査位置において信号”１”を出力するので、信号”０”を計数するカウンタ１５の計数値は零のままとなる。従ってカウンタ１５はこの場合出力端子１５Ｄから計数値０の余白信号１７を出力する。
　余白信号１７は補正値出力デコーダ１８に供給される。補正値出力デコーダ１８は第３図に示すように余白信号１７の示す文字枠の行方向の余白程度に基づいて該当する文字が印字される場合の行方向の補正値（設定すべきスペース)を決定する。 この場合余白は０なので補正値は１となる。
  一方、文字パタン収容メモリ１１が文字パタンＭを発生させると、クロック入力端子１２Ａに入力されるシフトクロック１３に従って主走査方向出方端子ＯＭからは第１番目の副走査位置から順に文字Ｍについての各主走査位置のビット情報１９が出力される。これらのビット情報は補正値出力デコーダ１８が文子パタンＭについての補正値を決定するまでの間遅延回路２１で順に遅延された後、２入力アンド回路２２の一方の入力端子に供給される。このアンド回路２２の他方の入力端子と他の２入力アンド回路２３の一方の入力端子には補正値出力デコーダ１８の出力信号２４が供給され、アンド回路２３の他方の入力端子にはシフトクロック１３が供給されている。従ってアンド回路２２の出力端子からは文字パタンＭについてのシリアルなビデオ信号２５が出力される一方、アンド回路２３の出力端子からはこれらのビデオ信号と同期しかつ一走査線分のビデオ信号の前後に１ビット分ずつのクロックが加わったサンプルクロック２６が出力される。この結果ビデオ信号２５とサンプルクロック２６を基にして印字された文字Ｍのピッチは、第４図に示すように文字Ｍの占有幅２０ビットの両側に字間スペースとしての補正値１ビットをそれぞれ加えた２２ビットとなっている。
　これに対して第１図に示した文字パタンｉを指示する文字コードが文字パタン収容メモリ１２に供給された場合には、カウンタ１５は最終的に１４を計数する。この場合カウンタ１５は計数値１４の余白信号１７を出力する。補正値出力デコーダ１８は第３図に示した余白と補正値の関係から補正値を４に決定する。この結果文字ｉのピッチは、第４図に示すように文字パタンｉの占有幅６ビットの両側に補正値４ビットをそれぞれ加えた１４ビットとなる。
　このように本発明によれば文字パタンを変更してもこれに対応してスペーシング量が変化するので、外部装置から文字コード情報を与えるだけでプロポーショナルスぺーシング印字を行うことができる。」（公報第２頁左上欄１７行〜第３頁右上欄１４行）と記載されており、また、第１図には２０×２０ビットの文字枠に納められた文字パタンを示すパタン構成図が、第４図には、第１図に示された文字パタンの空白列に相当するビットを除き補正値に相当するビットを両側に加えたプロポーショナルスペーシング印字パターンが示されている。
　以上をまとめると、引用例１には以下の２つの発明（以下、それぞれ「引用発明１」、「引用発明２」という。）が開示されているものと認める。
（引用発明１）
「行方向および列方向にそれぞれ２０ビットの計４００ビットで構成された文字枠に収まるようにデザインされた各種の文字パタンが収容されている文字パタン収容メモリ１２と、
　余白信号１７の示す文字枠の行方向の余白程度に基づいて該当する文字が印字される場合の行方向の補正値（設定すべきスペース)を決定する補正値出力デコーダ１８と、
　メモリ１２に収容された文字パタンの第１番目の主走査位置から順に各副走査位置のビット情報を出力する副走査方向出力端子ＯＳ１〜ＯＳ２０の出力信号をオア回路１４を経てカウンタ１５の計数入力端子１５Ａに順次供給し、カウンタ１５は、文字コードが文字パタン収容メモリ１２に供給される時点でストローブ信号入力端子１５Ｂからストローブ信号１５の供給を受け、これ以後クロック入力端子１５Ｃにシフトクロック１３が供給される毎に計数入力端子１５Ａに供給される白の画情報を表わす信号”０”を計数する手段と、
　文字パタン収容メモリ１２に収容された文字パタンの空白列に相当するビットを除き補正値に相当するビットを両側に加えた文字パタンのプロポーショナル印字を行うために、遅延回路で遅延された各主走査位置におけるビット情報１９と補正値出力デコーダ１８の出力信号が供給され、文字パタンについてのビデオ信号２５を出力するアンド回路２２と、補正値出力デコーダ１８の出力信号とシフトクロック１３が供給され、ビデオ信号２５と同期しかつ一走査分のビデオ信号の前後に補正値ビット分ずつのクロックが加わったサンプルクロックを出力するアンド回路２３とを有する制御方式。」
（引用発明２）
「行方向および列方向にそれぞれ２０ビットの計４００ビットで構成された文字枠に収まるようにデザインされた各種の文字パタンが収容されている文字パタン収容メモリ１２と、
　余白信号１７の示す文字枠の行方向の余白程度に基づいて該当する文字が印字される場合の行方向の補正値（設定すべきスペース)を決定する補正値出力デコーダ１８と、
　メモリ１２に収容された文字パタンの第１番目の主走査位置から順に各副走査位置のビット情報を出力する副走査方向出力端子ＯＳ１〜ＯＳ２０の出力信号をオア回路１４を経てカウンタ１５の計数入力端子１５Ａに順次供給し、カウンタ１５は、文字コードが文字パタン収容メモリ１２に供給される時点でストローブ信号入力端子１５Ｂからストローブ信号１５の供給を受け、これ以後クロック入力端子１５Ｃにシフトクロック１３が供給される毎に計数入力端子１５Ａに供給される白の画情報を表わす信号”０”を計数する手段と、
　文字パタン収容メモリ１２に収容された文字パタンの空白列に相当するビットを除き補正値に相当するビットを両側に加えた文字パタンのプロポーショナル印字を行うために、遅延回路で遅延された各主走査位置におけるビット情報１９と補正値出力デコーダ１８の出力信号が供給され、文字パタンについてのビデオ信号２５を出力するアンド回路２２と、補正値出力デコーダ１８の出力信号とシフトクロック１３が供給され、ビデオ信号２５と同期しかつ一走査分のビデオ信号の前後に補正値ビット分ずつのクロックが加わったサンプルクロックを出力するアンド回路２３と、
　ビデオ信号２５とサンプルクロック２６を基に印字を行うプリンタ。」
　また、同じく原査定の拒絶の理由において引用された本願出願前に頒布された刊行物である実願昭５６−１９３７５０号（実開昭５８−９９０６３号）のマイクロフィルム（以下「引用例２」という。）には、「第３図(1)と(2)は、それぞれ文字パターンメモリ６に格納された英文字のパターンデータの一例・・・を示す。図面において、斜線部は論理”１”、白部は論理”０”を示し、また、Ｄ０〜Ｄ７はドットパターンの各列、Ｒ０〜Ｒ９は同じく各行を示す。この第３図(1)と(2)では、各文字は横×縦＝８×１０（ビット）で構成され、固定ピッチの場合には、行Ｒ０〜Ｒ９の１０ビット単位で、各列毎に合計８サイクルで１文字分のドットパターンデータが、データ出力バッファ７へ出力される。また、プロポーショナルピッチの場合には、同じく行Ｒ０〜Ｒ９の１０ビット単位で、文字幅情報ＳＡに応じて１〜８サイクルで、１文字分のドットパターンデータが出力される。」（明細書第５頁第１４行〜第６頁９行）と記載されており、この記載から、引用例２には、「文字パターンメモリ６に格納された文字パターンデータを、固定ピッチの場合は、格納された行ビット単位で、各列毎に、格納されたサイクルでデータ出力バッファに出力し、プロポーショナルピッチの場合は、格納された行ビット単位で、文字幅情報に応じて、格納されたサイクルでデータ出力バッファに出力する」技術が示されているものと認める。
III.対比・比較
１.本願発明１について
　本願発明１と引用発明１とを比較すると、引用発明１の「各種の文字パタンが収容されている文字パタン収容メモリ１２」、「文字が印字される場合の行方向の補正値（設定すべきスペース)を決定する補正値出力デコーダ１８」、「メモリ１２に収容された文字パタンの第１番目の主走査位置から順に各副走査位置のビット情報を出力する副走査方向出力端子ＯＳ１〜ＯＳ２０の出力信号をオア回路１４を経てカウンタ１５の計数入力端子１５Ａに順次供給し、カウンタ１５は、文字コードが文字パタン収容メモリ１２に供給される時点でストローブ信号入力端子１５Ｂからストローブ信号１５の供給を受け、これ以後クロック入力端子１５Ｃにシフトクロック１３が供給される毎に計数入力端子１５Ａに供給される白の画情報を表わす信号”０”を計数する手段」、「文字パタン収容メモリ１２に収容された文字パタンの空白列に相当するビットを除き補正値に相当するビットを両側に加えた文字パタンのプロポーショナル印字を行うために、遅延回路で遅延された各主走査位置におけるビット情報１９と補正値出力デコーダ１８の出力信号が供給され、文字パタンについてのビデオ信号２５を出力するアンド回路２２と、補正値出力デコーダ１８の出力信号とシフトクロック１３が供給され、ビデオ信号２５と同期しかつ一走査分のビデオ信号の前後に補正値ビット分ずつのクロックが加わったサンプルクロックを出力するアンド回路２３」及び「制御方式」は、本願発明１の「フォントデータを記憶する第１記憶手段」、「プロポーショナルピッチの文字パターンを作成するときに必要な文字送りピッチ量を示すスペーシング量を記憶する第２記憶手段」、「第１記憶手段に記憶されているフォントデータの空白部の幅を検出する検出手段」、「フォントデータと前記第２記憶手段に記憶されているスペーシング量とに従ってプロポーショナルピッチの文字パターンを作成する作成手段」及び「フォント作成装置」にそれぞれ相当していることから、両者は、「フォントデータを記憶する第１記憶手段と、プロポーショナルピッチの文字パターンを作成するときに必要な文字送りピッチ量を示すスペーシング量を記憶する第２記憶手段と、第１記憶手段に記憶されているフォントデータの空白部の幅を検出する検出手段と、フォントデータと前記第２記憶手段に記憶されているスペーシング量とに従ってプロポーショナルピッチの文字パターンを作成する作成手段とを有することを特徴とするフォント作成装置」の点で一致し、次の点で一応相違するものと認める。
相違点１：本願発明１は、第１記憶手段に記憶するフォントデータが固定ピッチのフォントデータであるのに対して、引用発明１にはその事項が特定されていない点。
相違点２：本願発明１は第１の記憶手段に記憶されているフォントデータの空白部のうち片側の空白部の幅のみを検出しているが、引用発明１では両側の空白部の幅を検出している点。
相違点３：本願発明１は発明を特定する事項として「前記検出手段により検出された片側の空白部の幅に基づき前記第１記憶手段に記憶されている固定ピッチのフォントデータをシフトさせるシフト手段」を備え「シフト手段によりシフトされたフォントデータと第２記憶手段に記憶されているスペーシング量とに従ってプロポーショナルピッチの文字パターンを作成する」ものであるのに対し、引用発明１はシフト手段を備えておらず、各文字の行方向の幅と第２記憶手段に記憶されているスペーシング量とによってプロポーショナルピッチの文字パターンを作成している点。
　相違点１について検討すると、引用例２には、「文字パターンメモリ６に格納された文字パターンデータを、固定ピッチの場合は、格納された行ビット単位で、各列毎に、格納されたサイクルでデータ出力バッファに出力し、プロポーショナルピッチの場合は、格納された行ビット単位で、文字幅情報に応じて、格納されたサイクルでデータ出力バッファに出力する」技術、すなわち、記憶手段に記憶された固定ピッチの文字パターンデータを用いてプロポーショナルピッチの文字パターンを作成する技術が示されており、この技術を、引用例２に示された技術と同じくプロポーショナルピッチの印字を行うものである引用発明１の文字パタン収容メモリ１２に収容された各種の文字パタンに適用して、これを固定ピッチのフォントデータとして用いることは当業者が容易になし得ることと認められる。
  相違点２について検討すると、プロポーショナルフォントを作成する場合に、片側のみの空白部の幅を検出するか、両側の空白部の幅を検出するかは、各文字のプロポーショナルフォントの片側のみの余白スペースを設定するか、両側の余白スペースを設定するかに応じて、当業者が適宜なし得る設計事項に過ぎないことと認められる。
　相違点３について検討すると、固定フォントデータにおける空白列を除いた文字パタンを抽出するために、片側の空白部の幅に基づいて固定ピッチのフォントデータをシフトさせたフォントデータを作成して抽出を行うか、固定フォントにおける空白列以外の文字幅を検出し、この文字幅を用いて固定フォントデータから直接抽出を行うかは、当業者が適宜選択し得る事項に過ぎないことと認められる。
　したがって、本願発明１は引用例１に記載された引用発明１及び引用例２に記載された技術から当業者が容易に発明をすることができたものと認められる。
２.本願発明２について
  本願発明２と引用発明２を比較すると、引用発明２における「ビデオ信号２５とサンプルクロック２６を基に印字を行うプリンタ」は本願発明２の「前記作成手段により作成された文字パターンを出力する出力手段を有することを特徴とする出力装置」に相当し、その余の事項については、１.における本願発明１と引用発明１との比較に示したとおりであるから、結局、両者は、１.に示した本願発明１と引用発明１との間と同様の一致点及び相違点１〜３を有するものである。
　相違点１について検討すると、引用例２には、「文字パターンメモリ６に格納された文字パターンデータを、固定ピッチの場合は、格納された行ビット単位で、各列毎に、格納されたサイクルでデータ出力バッファに出力し、プロポーショナルピッチの場合は、格納された行ビット単位で、文字幅情報に応じて、格納されたサイクルでデータ出力バッファに出力する」技術、すなわち、記憶手段に記憶された固定ピッチの文字パターンデータを用いてプロポーショナルピッチの文字パターンを作成する技術が示されており、この技術を、引用例２に示された技術と同じくプロポーショナルピッチの印字を行うものである引用発明２の文字パタン収容メモリ１２に収容された各種の文字パタンに適用して、これを固定ピッチのフォントデータとして用いることは当業者が容易になし得ることと認められる。
  相違点２について検討すると、プロポーショナルフォントを作成する場合に、片側のみの空白部の幅を検出するか、両側の空白部の幅を検出するかは、各文字のプロポーショナルフォントの片側のみの余白スペースを設定するか、両側の余白スペースを設定するかに応じて、当業者が適宜なし得る設計事項に過ぎないことと認められる。
　相違点３について検討すると、固定フォントデータにおける空白列を除いた文字パタンを抽出するために、片側の空白部の幅に基づいて固定ピッチのフォントデータをシフトさせたフォントデータを作成して抽出を行うか、固定フォントにおける空白列以外の文字幅を検出し、この文字幅を用いて固定フォントデータから直接抽出を行うかは、当業者が適宜選択し得る事項に過ぎないことと認められる。
　したがって、本願発明２は引用例１に記載された引用発明２及び引用例２に記載された技術から当業者が容易に発明をすることができたものと認められる。
３.本願発明３について
　本願発明３は、本願発明２の「出力手段」を「プリンタ」に限定するものであるが、これは、引用発明２におけるプリンタに相当するものであり、本願発明３と引用発明２とを比較すると、両者は、２.に示したものと同様の一致点及び相違点を有するものである。
  そして、２.に示した理由により、本願発明３は引用例１に記載された引用発明２及び引用例２に記載された技術から当業者が容易に発明をすることができたものと認められる。
IV.結び
　したがって、本願発明１〜３は、特許法第２９条第２項の規定により特許を受けることができない。
　よって、結論のとおり審決する。